(57)【要約】【課題】電池蓋を携帯式電子装置の本体に対して容易に着脱させることができる電池蓋着脱機構及びそれを用いた携帯式電子装置を提供すること。【解決手段】本発明に係る電池蓋着脱機構は、電池蓋を携帯式電子装置の本体から離れるように押し退け、本体には押しボタンが装着され、電池蓋着脱機構は、解除部材と、推進部材と、第一弾性部材と、第二弾性部材と、を備え、解除部材は、互いに連通する貫通孔及び開口が設けられた主体部と、主体部の側面に突設され且つ押しボタンの押圧部に対向して位置する受圧部と、を備え、推進部材は、位置決め部及び位置決め部から垂直に延在する推進ピンを備え、押しボタンが押圧されると、押圧部は解除部材の受圧部を押圧して、解除部材を第一弾性部材に向けて移動させ、さらに位置決め部を開口から離脱させ、これにより、第二弾性部材は弾性力を解放して、推進ピンを駆動して電池蓋を本体から離れるように押し退ける。【選択図】図４
2013198159.tif 000002
【特許請求の範囲】
【請求項１】
本体と、前記本体に装着される電池蓋と、前記本体にスライド可能に装着される押しボタンと、前記本体に固定される電池蓋着脱機構と、を備える携帯式電子装置であって、
前記押しボタンは、押圧部を備え、前記電池蓋着脱機構は、ハウジングと、解除部材と、推進部材と、第一弾性部材と、第二弾性部材と、を備え、前記解除部材は、主体部と、前記主体部の側面に突設され、且つ前記押圧部に対向して位置する受圧部と、を備え、前記主体部には、互いに連通する貫通孔及び開口が設けられ、前記推進部材は、位置決め部及び前記位置決め部から垂直に延在する推進ピンを備え、前記位置決め部及び前記推進ピンは、前記貫通孔及び前記開口内にそれぞれ収納され、
前記第一弾性部材は、前記主体部に弾性的に当接されて、前記主体部を元の位置に復帰させるための弾性力をもたらし、前記第二弾性部材は、前記推進部材と前記ハウジングとの間に圧縮された状態で装着され、
前記押しボタンが押圧されると、前記押圧部は、前記解除部材の受圧部を押圧して、前記解除部材を前記第一弾性部材に向けて移動させ、さらに前記位置決め部を前記開口から離脱させ、これにより、前記第二弾性部材は弾性力を解放して、前記推進ピンを駆動して前記電池蓋を前記本体から離れるように押し退けることを特徴とする携帯式電子装置。
【請求項２】
前記第一弾性部材は、湾曲可能な弾性片であり、且つその一端は前記ハウジングの収容空洞部内に固定され、その他端は前記解除部材の主体部に弾性的に当止され、
前記第二弾性部材は、コイルバネであり、前記推進部材には、前記第二弾性部材の一端を収容する固定孔が設けられていると共に、前記ハウジングにおける前記収容空洞部内には、前記第二弾性部材の他端を貫通して位置決めするための固定柱が突設されていることを特徴とする請求項１に記載の携帯式電子装置。
【請求項３】
前記ハウジングには、前記収容空洞部と互いに連通する切欠及び円形孔がさらに設けられ、前記受圧部は、前記切欠を介して前記収容空洞部の外部まで延伸し、前記推進ピンは、前記円形孔に対応して設置されることを特徴とする請求項２に記載の携帯式電子装置。
【請求項４】
前記本体には、互いに連通する第一収容凹溝及び第二収容凹溝が設けられ、前記押しボタンは、前記第一収容凹溝内にスライド可能に装着され、前記電池蓋着脱機構は、前記第二収容凹溝内に装着されることを特徴とする請求項１から３のいずれか一項に記載の携帯式電子装置。
【請求項５】
前記携帯式電子装置はスプリングをさらに備え、前記第一収容凹溝は、互いに対向して設けられた２つの誘導レールと、この２つの誘導レールにそれぞれ垂直に連接される底壁と、が取り囲むことで形成され、前記スプリングの両端は、前記押しボタン及び前記底壁にそれぞれ当止されることを特徴とする請求項４に記載の携帯式電子装置。
【請求項６】
前記押しボタンは、主体部及び前記主体部の両側に設けられた弾性アームを備え、前記押圧部は、前記主体部の片側から垂直に突出して延伸し、２つの前記弾性アームは前記主体部と間隔をあけて設置され、各々の弾性アームの前記主体部から離れた末端にはフックが設けられ、
前記フックは、前記誘導レールの設置位置を越えると、弾性アームによって復帰し、押しボタンをこの誘導レールに沿ってさらにスライドさせて、第一収容凹溝内に固定させることで、前記押しボタンを前記本体に固定させることを特徴とする請求項５に記載の携帯式電子装置。
【請求項７】
前記押しボタンの主体部には係合用凹溝が設けられ、前記電池蓋にはフックが設けられ、前記電池蓋のフックは前記係合用凹溝内に係止され、前記係合用凹溝は前記押しボタンが押圧された後、前記電池蓋のフックから離脱することを特徴とする請求項６に記載の携帯式電子装置。
【請求項８】
電池蓋を携帯式電子装置の本体から離れるように押し退けるための電池蓋着脱機構であって、
前記本体には押しボタンが装着され、前記押しボタンは押圧部を備え、前記電池蓋着脱機構は、ハウジングと、解除部材と、推進部材と、第一弾性部材及び第二弾性部材と、を備え、前記解除部材は、主体部と、前記主体部の側面に突設され、且つ前記押圧部に対向して位置する受圧部と、を備え、前記主体部には、互いに連通する貫通孔及び開口が設けられ、前記推進部材は、位置決め部及び前記位置決め部から垂直に延在する推進ピンを備え、前記位置決め部及び前記推進ピンは、前記貫通孔及び前記開口内にそれぞれ収納され、
前記第一弾性部材は、前記主体部に弾性的に当接されて、前記主体部を元の位置に復帰させるための弾性力をもたらし、前記第二弾性部材は、前記推進部材と前記ハウジングとの間に圧縮された状態で装着され、
前記押しボタンが押圧されると、前記押圧部は前記解除部材の受圧部を押圧して、前記解除部材を前記第一弾性部材に向けて移動させ、さらに前記位置決め部を前記開口から離脱させ、これにより、前記第二弾性部材は弾性力を解放して、前記推進ピンを駆動して、前記電池蓋を前記本体から離れるように押し退けることを特徴とする電池蓋着脱機構。
【請求項９】
前記ハウジングには、収容空洞部と、前記収容空洞部と互いに連通する切欠及び円形孔と、がさらに設けられ、前記受圧部は、前記切欠を介して、前記収容空洞部の外部まで延伸し、前記推進ピンは、前記円形孔に対応して設置されることを特徴とする請求項８に記載の電池蓋着脱機構。
【発明の詳細な説明】
【技術分野】
【０００１】
本発明は、電池蓋着脱機構及びこれを用いた携帯式電子装置に関するものである。
【背景技術】
【０００２】
現在、携帯電話及び携帯情報端末（ＰＤＡ）等の携帯式電子装置には、一般的にリチウム電池が電源として用いられており、通常、このリチウム電池を携帯式電子装置の本体に設けられた収容部に収納した後、電池蓋を前記本体に係合させてリチウム電池を保護する。しかし、前記携帯式電子装置に電力を供給するリチウム電池の容量がなくなると、その都度電池蓋を取り外して電池を取り換えなければならない。このため、携帯式電子装置の本体に容易に着脱できる電池蓋のロック機構が望まれている。
【０００３】
従来の電池蓋は、一般的に、その上端の内面に設けられた突起或いはブロック等を介して、携帯式電子装置の本体に設けられた係止凹溝或いはスロットに係合されている。しかし、このタイプの電池蓋着脱機構は、構造は簡単であるが、電池蓋を取り外す際、ユーザー自身の手によって、電池蓋を前記突起の反対方向に向かって推進して、前記突起と前記係止凹溝との係合関係を解除させなければならず、またこの時、電池蓋の周縁部の側壁は電子装置の本体に緊密に貼着されているため、電池蓋を本体から容易に離脱させることができない。また、長時間の使用によって、電池蓋と本体との係合は弛み易く、電池蓋の性能を損なう問題もある。
【発明の概要】
【発明が解決しようとする課題】
【０００４】
以上の問題点に鑑みて、本発明は、電池蓋を携帯式電子装置の本体に対して容易に着脱させることができる電池蓋着脱機構及びそれを用いた携帯式電子装置を提供することを目的とする。
【課題を解決するための手段】
【０００５】
上記の目的を達成するために、本発明に係る電池蓋着脱機構は、電池蓋を携帯式電子装置の本体から離れるように押し退けることに用いられ、前記本体には押しボタンが装着され、前記押しボタンは押圧部を備え、前記電池蓋着脱機構は、ハウジングと、解除部材と、推進部材と、第一弾性部材と、第二弾性部材と、を備え、前記解除部材は、主体部と、前記主体部の側面に突設され、且つ前記押圧部に直交して位置する受圧部と、を備え、前記主体部には、互いに連通する貫通孔及び開口が設けられ、前記推進部材は、位置決め部及び前記位置決め部から垂直に延在する推進ピンを備え、前記位置決め部及び前記推進ピンは、前記貫通孔及び前記開口内にそれぞれ収納され、前記第一弾性部材は、前記主体部に弾性的に当接されて、前記主体部を元の位置に復帰させるための弾性力をもたらし、前記第二弾性部材は、前記推進部材と前記ハウジングとの間に圧縮された状態で装着され、前記押しボタンが押圧されると、前記押圧部は前記解除部材の受圧部を押圧して、前記解除部材を前記第一弾性部材に向けて移動させ、さらに前記位置決め部を前記開口から離脱させ、これにより、前記第二弾性部材は弾性力を解放して、前記推進ピンを駆動して、前記電池蓋を前記本体から離れるように押し退ける。
【０００６】
また、上記の目的を達成するために、本発明に係る携帯式電子装置は、本体と、前記本体に装着される電池蓋と、前記本体にスライド可能に装着される押しボタンと、前記本体に固定される電池蓋着脱機構と、を備える。前記押しボタンは、押圧部を備え、前記電池蓋着脱機構は、ハウジングと、解除部材と、推進部材と、第一弾性部材と、第二弾性部材と、を備え、前記解除部材は、主体部及び前記主体部の側面に突設され、且つ前記押圧部に対向して位置する受圧部を備え、前記主体部には、互いに連通する貫通孔及び開口が設けられ、前記推進部材は、位置決め部及び前記位置決め部から垂直に延在する推進ピンを備え、前記位置決め部及び前記推進ピンは、前記貫通孔及び前記開口内にそれぞれ収納され、前記第一弾性部材は、前記主体部に弾性的に当接されて、前記主体部を元の位置に復帰させるための弾性力をもたらし、前記第二弾性部材は、前記推進部材と前記ハウジングとの間に圧縮された状態で装着され、前記押しボタンが押圧されると、前記押圧部は前記解除部材の受圧部を押圧して、前記解除部材を前記第一弾性部材に向けて移動させ、さらに前記位置決め部を前記開口から離脱させ、これにより、前記第二弾性部材は弾性力を解放して、前記推進ピンを駆動して、前記電池蓋を前記本体から離れるように押し退ける。
【発明の効果】
【０００７】
従来の技術と異なり、本発明は、携帯電話機に電池蓋を装着する際、電池蓋の一端のフックを、本体の押しボタンの係合用凹溝内に係合させれば良い。また、電池蓋を本体から取り外す場合、押しボタンに押圧力を加えるだけで、電池蓋のフック２２と押しボタンの係合用凹溝との係合関係を解除できると共に、電池蓋着脱機構を起動することができる。これにより、電池蓋着脱機構の第二弾性部材は、蓄積した弾性力を解放して、推進ピンを駆動して、電池蓋を本体から離れるように押し退ける。以上により、本発明の電池蓋着脱機構によって、携帯電話機の電池蓋を本体に容易に着脱させることができる。
【図面の簡単な説明】
【０００８】
【図１】本発明の電池蓋着脱機構を備えた携帯式電子装置の斜視図である。
【図２】図１に示した携帯式電子装置の分解図である。
【図３】図２に示した電池蓋着脱機構の分解図である。
【図４】図３に示した電池蓋着脱機構を別の視点から見た分解図である。
【図５】図１に示した携帯式電子装置のＶ−Ｖ線に沿った断面図である。
【図６】図１に示した携帯式電子装置のＶＩ−ＶＩ線に沿った断面図である。
【図７】図６に示した携帯式電子装置の使用状態を示す図である。
【図８】本発明の実施形態に係る電池蓋着脱機構の断面図である。
【図９】図８に示した電池蓋着脱機構の使用状態を示す図である。
【発明を実施するための形態】
【０００９】
本発明の電池蓋着脱機構は、携帯電話機及びノートパソコン等の携帯式電子装置に用いられる。以下の実施形態において、携帯電話機を例として、本発明の電池蓋着脱機構について詳細に説明する。
【００１０】
図１及び図２に示すように、本発明の電池蓋着脱機構５０を備える携帯電話機１００は、本体１０と、電池蓋２０と、押しボタン３０と、２つのスプリング４０と、フレーム６０と、を備える。
【００１１】
本体１０には、第一収容凹溝１２及びこの第一収容凹溝１２と連通する第二収容凹溝１４が設けられている。押しボタン３０及び２つのスプリング４０は共に、第一収容凹溝１２内に収納され、さらに、フレーム６０を本体１０に係合させることにより、押しボタン３０及び２つのスプリング４０を第一収容凹溝１２内に固定する。電池蓋着脱機構５０は、第二収容凹溝１４内に収納され、且つ本体１０を被覆して係合された電池蓋２０を、本体１０から離脱させることに用いられる。第一収容凹溝１２は、互いに対向して設けられた２つの誘導レール１２２と、この２つの誘導レール１２２に対してそれぞれ垂直に連接された底壁１２４と、が取り囲んで形成される。押しボタン３０は、２つの誘導レール１２２により誘導されて、第一収容凹溝１２内でスライドする。２つのスプリング４０の一端は、底壁１２４にそれぞれ当止される。電池蓋２０の背面には、押しボタン３０と係合するフック２２が設けられている（図５を参照）。
【００１２】
図６を併せて参照すると、押しボタン３０は、主体部３２と、指当て部３４と、２つの固定柱３６と、２つの弾性アーム３８及び押圧部３９と、を備える。主体部３２には、電池蓋２０のフック２２と係合する係合用凹溝３２２が設けられている。押しボタン３０が押圧されると、この係合用凹溝３２２とフック２２との係合関係は解除される。指当て部３４は、主体部３２の頂端に設けられ、２つの固定柱３６は、主体部３２の他端（すなわち頂端の反対側の端部）に設けられる。各スプリング４０の一端は、１つの固定柱３６を囲むように設けられ、各スプリング４０の他端は底壁１２４に当止される。２つの弾性アーム３８は、主体部３２の両側に設けられる。弾性アーム３８に弾性湾曲できる空間を提供するために、２つの弾性アーム３８は、主体部３２における固定柱３６が設けられた側の端部と間隔をあけて設置されており、主体部３２に対して接近離間するように弾性変形する。各弾性アーム３８の主体部３２から離れた末端には、フック３８２が設けられおり、このフック３８２は、押しボタン３０を本体１０に固定することに用いられる。押圧部３９は、主体部３２の片側からこの主体部３２に対して垂直に突出して延伸し、その下面が電池蓋着脱機構５０を押進することに用いられる。
【００１３】
図３、図４及び図８を併せて参照すると、電池蓋着脱機構５０は、本体１０の第二収容凹溝１４内に強固に固定され、且つハウジング５１と、蓋体５３と、解除部材５５と、推進部材５６と、第一弾性部材５７と、第二弾性部材５８と、を備える。ハウジング５１には収容空洞部５１２が設けられ、蓋体５３をハウジング５１の開口に対応して係合させることにより、収容空洞部５１２を封鎖する。解除部材５５、推進部材５６、第一弾性部材５７及び第二弾性部材５８は、全て収容空洞部５１２内に収納される。収容空洞部５１２を形成する１つの側壁には、切欠５１４が設けられている。解除部材５５の一部は、この切欠５１４を介して収容空洞部５１２の外部まで延伸する。蓋体５３の中央部には、円形孔５３２が設けられている。推進部材５６は、この円形孔５３２を貫通して収容空洞部５１２の外部へ部分的に突出する。
【００１４】
解除部材５５は、主体部５５２及び主体部５５２の側面に突設された受圧部５５４を備える。主体部５５２には、貫通孔５５２２が設けられ、この貫通孔５５２２を形成する周壁には、貫通孔５５２２と連通する開口５５２４が設けられている。受圧部５５４は、切欠５１４を貫通して外部まで延伸し、且つ押しボタン３０の押圧部３９の下面と対向して位置する（図６を参照）。推進部材５６は、位置決め部５６２及び位置決め部５６２の片面から垂直に延在する推進ピン５６４を備える。位置決め部５６２及び推進ピン５６４は、開口５５２４及び貫通孔５５２２内にそれぞれ収納される。推進ピン５６４は、円形孔５３２に対応して設置され、且つ円形孔５３２を貫通する。
【００１５】
第一弾性部材５７の一端は、収容空洞部５１２内に固定され、第一弾性部材５７の他端は、解除部材５５の主体部５５２に弾性的に当止されて、主体部５５２を元の位置に復帰させるための弾性力をもたらす。本実施形態において、第一弾性部材５７は、湾曲可能な弾性片であり、筐体５９を介して収容空洞部５１２内に固定される。
【００１６】
第二弾性部材５８は、推進部材５６とハウジング５１との間に圧縮された状態で装着される。この第二弾性部材５８を、推進部材５６とハウジング５１との間に安定して装着させるため、本発明は、推進部材５６に第二弾性部材５８の一端を収容するための固定孔５６６を設けると共に、ハウジング５１の収容空洞部５１２内に、第二弾性部材５８の他端を貫通させて位置決めするための固定柱５１６を突設する。本実施形態において、第二弾性部材５８は、コイルバネである。
【００１７】
以下、図１乃至図４を参照しながら、本発明の携帯電話機１００を組み立てる場合のステップについて詳細に説明する。
【００１８】
まず、電池蓋着脱機構５０を第二収容凹溝１４内に固定する。この時、受圧部５５４及び推進ピン５６４を、それぞれ第一収容凹溝１２及び電池蓋２０に向ける。次に、各スプリング４０の一端を、押しボタン３０の１つの固定柱３６を囲むように設置した後（図６を参照）、スプリング４０が装着された押しボタン３０を誘導レール１２２に沿って、第一収容凹溝１２内にスライドさせる。押しボタン３０が第一収容凹溝１２内にスライドされる過程において、押しボタン３０のフック３８２は、誘導レール１２２により押圧されて、２つの弾性アーム３８が湾曲する。フック３８２は、誘導レール１２２の設置位置を越えると、弾性アーム３８によって復帰し、さらに押しボタン３０を誘導レール１２２に沿ってスライドさせて、第一収容凹溝１２内に固定させると同時に、スプリング４０の他端は、本体１０の底壁１２４に当接される。次に、フレーム６０を本体１０の周縁に係合させて、第一収容凹溝１２を封鎖すると共に、押しボタン３０が第一収容凹溝１２から離脱することを防止する。最後に、電池蓋２０を本体１０の電池収容部を有する側に対応して被覆させ、フック２２を押しボタン３０の主体部３２の係合用凹溝３２２内に係止させれば、電池蓋２０を本体１０に強固に装着することができる。以上により、携帯電話機１００の組み立ては完成する。
【００１９】
以下、図５乃至図９を参照しながら、電池蓋２０を本体１０から取り外す場合の動作及びその原理について説明する。
【００２０】
まず、押しボタン３０の指当て部３４に外力を加えて、押しボタン３０全体を第一収容凹溝１２の誘導レール１２２に沿って、底壁１２４に向けてスライドさせると共に、スプリング４０を圧縮する。この時、押しボタン３０の係合用凹溝３２２と電池蓋２０のフック２２との係合関係は解除される。押しボタン３０の押圧部３９は、前記解除部材５５の受圧部５５４を下方へ押圧して、前記解除部材５５を前記第一弾性部材５７に向けて移動させる。この際、第一弾性部材５７は押圧されて、湾曲して弾性力を蓄積する。引き続き押しボタン３０を押圧して、位置決め部５６２を開口５５２４から退出させると、第二弾性部材５８は弾性力を解放して、推進部材５６の推進ピン５６４を駆動し、当該推進ピン５６４により、電池蓋２０のフック２２を有する一端を携帯電話機１００の本体１０から離れるように押し退ける。これにより、ユーザーは、電池蓋２０を本体１０から容易に取り外すことができる。
【００２１】
上記の実施形態から分かるように、本発明は、携帯電話機１００に電池蓋２０を装着する際、電池蓋２０の一端のフック２２を、本体１０の押しボタン３０の係合用凹溝３２２内に係合させれば良い。また、電池蓋２０を本体１０から取り外す場合、押しボタン３０に押圧力を加えるだけで、電池蓋２０のフック２２と押しボタン３０の係合用凹溝３２２との係合関係を解除できると共に、電池蓋着脱機構５０を起動することができる。これにより、電池蓋着脱機構５０の第二弾性部材５８は、蓄積した弾性力を解放して、推進ピン５６４を駆動して、電池蓋２０を本体１０から離れるように押し退ける。以上により、本発明の電池蓋着脱機構によって、携帯電話機１００の電池蓋２０を本体１０に容易に着脱させることができる。
【００２２】
なお、再び電池蓋２０を本体１０と係合させる場合には、まず、推進ピン５６４を収容空洞部５１２内に収納させる。このとき、第一弾性部材５７の弾性力により、解除部材５５が上方へ復帰して推進部材５６と接触し、推進部材５６の移動が規制される。これにより、受圧部５５４が切欠５１４から突出したままで維持される。
【００２３】
また、上記の実施形態に記載したスプリング４０の数は２つに限定されるものではなく、押圧された押しボタン３０を元の位置に復帰させることを前提として、スプリング４０を１つ或いは複数に設けることができる。
【００２４】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２５】
１０      本体
１２      第一収容凹溝
１４      第二収容凹溝
２０      電池蓋
２２      フック
３０      押しボタン
３２      主体部
３４      指当て部
３６      固定柱
３８      弾性アーム
３９      押圧部
４０      スプリング
５０      電池蓋着脱機構
５１      ハウジング
５３      蓋体
５５      解除部材
５６      推進部材
５７      第一弾性部材
５８      第二弾性部材
５９      筐体
６０      フレーム
１００    携帯電話機
１２２    誘導レール
１２４    底壁
３２２    係合用凹溝
３８２    フック
５１２    収容空洞部
５１４    切欠
５１６    固定柱
５３２    円形孔
５５２    主体部
５５４    受圧部
５６２    位置決め部
５６４    推進ピン
５６６    固定孔
５５２２  貫通孔
５５２４  開口
【図１】
2013198159.tif 000003
【図２】
2013198159.tif 000004
【図３】
2013198159.tif 000005
【図４】
2013198159.tif 000006
【図５】
2013198159.tif 000007
【図６】
2013198159.tif 000008
【図７】
2013198159.tif 000009
【図８】
2013198159.tif 000010
【図９】
2013198159.tif 000011